【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
第１システム及び前記第１システムと通信可能な第２システムを備え、前記第１システムは第１記憶手段を有し、前記第２システムは第２記憶手段を有し、前記第２システムのブートプログラムを前記第１システムが前記第２システムに送信する情報処理装置であって、
前記第１システムは、
前記情報処理装置を省電力状態から復帰させる復帰要因を受信し、
第１の復帰要因を示す情報を含む第１ブートプログラム、及び、第２の復帰要因を示す情報を含む第２ブートプログラム、を前記第２システムに送信し、
前記第２システムは、
前記第１ブートプログラム及び前記第２ブートプログラムを受信し、
受信した前記第１ブートプログラムに従って第１起動処理を実行し、受信した前記第２ブートプログラムに従って第２起動処理を実行する、
ことを特徴とする情報処理装置。
【請求項２】
前記第１システムは、
前記受信した前記復帰要因が前記第１の復帰要因であるか前記第２の復帰要因であるかを判定し、
前記判定に従って、前記第１ブートプログラムまたは前記第２ブートプログラムを送信する
ことを特徴とする請求項１に記載の情報処理装置。
【請求項３】
前記第１システムは、
前記第１ブートプログラムまたは前記第２ブートプログラムを前記第１記憶手段に格納し、
前記第１記憶手段に格納した前記第１ブートプログラムまたは前記第２ブートプログラムを、ＤＭＡ転送により、前記第２システムの前記第２記憶手段に転送する
ことを特徴とする請求項１または２に記載の情報処理装置。
【請求項４】
前記第２システムは、前記第２記憶手段に格納された前記第１ブートプログラムに従って前記第１起動処理を実行し、前記第２記憶手段に格納された前記第２ブートプログラムに従って前記第２起動処理を実行する
ことを特徴とする請求項３に記載の情報処理装置。
【請求項５】
前記第１システムは、前記第２システムのリセットを解除し、
前記第２システムは、前記第１システムによってリセットが解除されると、前記第１起動処理または前記第２起動処理を実行する
ことを特徴とする請求項１から請求項４のうちのいずれか１項に記載の情報処理装置。
【請求項６】
前記第２システムには、１または複数のデバイスが接続され、
前記第２システムは、前記１または複数のデバイスを動作させる際に用いられる１または複数のハードウエアを有し、
前記第２システムは、
前記１または複数のハードウエアのうち、前記情報処理装置の起動後に使用されるデバイスを動作させる際に用いられるハードウエアを、前記第１起動処理と前記第２起動処理との各起動処理において初期化する
ことを特徴とする請求項１から請求項５のうちのいずれか１項に記載の情報処理装置。
【請求項７】
前記第１システムは、
前記復帰要因に従って前記初期化されるべき前記ハードウエアを記憶する初期化テーブルを、前記第２システムに送信し、
前記第２システムは、
前記第１起動処理において、前記初期化テーブルによって示される、前記第１の復帰要因に対応するハードウエアを初期化し、前記第２起動処理において、前記初期化テーブルによって示される、前記第２の復帰要因に対応するハードウエアを初期化する
ことを特徴とする請求項６に記載の情報処理装置。
【請求項８】
前記初期化テーブルには、
前記情報処理装置の起動種別がコールドブートである場合には前記１または複数のハードウエアのいずれも初期化しないことを示す情報が含まれる
ことを特徴とする請求項７に記載の情報処理装置。
【請求項９】
第１システム及び前記第１システムと通信可能な第２システムを備え、前記第１システムは第１記憶手段を有し、前記第２システムは第２記憶手段を有し、前記第２システムのブートプログラムを前記第１システムが前記第２システムに送信する情報処理装置の制御方法であって、
前記第１システムが、前記情報処理装置を省電力状態から復帰させる復帰要因を受信する受信ステップと、
前記第１システムが、第１の復帰要因を示す情報を含む第１ブートプログラム、及び、第２の復帰要因を示す情報を含む第２ブートプログラム、を前記第２システムに送信する送信ステップと、
前記第２システムが、前記第１ブートプログラム及び前記第２ブートプログラムを受信する受信ステップと、
前記第２システムが、受信した前記第１ブートプログラムに従って第１起動処理を実行し、受信した前記第２ブートプログラムに従って第２起動処理を実行する実行ステップと
を含むことを特徴とする制御方法。
【請求項１０】
第１システム及び前記第１システムと通信可能な第２システムを備え、前記第１システムは第１記憶手段を有し、前記第２システムは第２記憶手段を有し、前記第２システムのブートプログラムを前記第１システムが前記第２システムに送信する情報処理装置のコンピュータに、
前記第１システムが、前記情報処理装置を省電力状態から復帰させる復帰要因を受信する受信ステップと、
前記第１システムが、第１の復帰要因を示す情報を含む第１ブートプログラム、及び、第２の復帰要因を示す情報を含む第２ブートプログラム、を前記第２システムに送信する送信ステップと、
前記第２システムが、前記第１ブートプログラム及び前記第２ブートプログラムを受信する受信ステップと、
前記第２システムが、受信した前記第１ブートプログラムに従って第１起動処理を実行し、受信した前記第２ブートプログラムに従って第２起動処理を実行する実行ステップと
を実行させるためのプログラム。
【請求項１１】
第１システム及び前記第１システムと通信可能な第２システムを備え、前記第２システムのブートプログラムを前記第１システムが前記第２システムに送信する情報処理装置であって、
前記第１システムは、
前記情報処理装置を省電力状態から復帰させる復帰要因を取得し、
取得された前記復帰要因を示す情報とともに前記ブートプログラムを前記第２システムに送信し、
前記第２システムは、
前記復帰要因を示す前記情報とともに前記ブートプログラムを受信し、
受信された前記ブートプログラム及び前記復帰要因を示す前記情報に従って起動処理を実行する、
ことを特徴とする情報処理装置。
【請求項１２】
前記第２システムは、前記復帰要因を示す前記情報に従って前記起動処理において初期化されるハードウエアを決定する
ことを特徴とする請求項１１に記載の情報処理装置。
【請求項１３】
前記ハードウエアは、スキャナ系画像処理プロセッサまたはプリンタ系画像処理プロセッサである
ことを特徴とする請求項１２に記載の情報処理装置。
【請求項１４】
前記第１システムは、前記第２システムのリセットを解除し、
前記第２システムは、前記第１システムによってリセットが解除されると、前記起動処理を実行する
ことを特徴とする請求項１１から請求項１３のうちのいずれか１項に記載の情報処理装置。
【請求項１５】
前記第２システムには、１または複数のデバイスが接続され、
前記第２システムは、前記１または複数のデバイスを動作させる際に用いられる１または複数のハードウエアを有し、
前記第２システムは、前記１または複数のハードウエアのうち、前記情報処理装置の起動後に使用されるデバイスを動作させる際に用いられるハードウエアを、前記起動処理において初期化する
ことを特徴とする請求項１１から請求項１４のうちのいずれか１項に記載の情報処理装置。
【請求項１６】
前記第１システムは、前記復帰要因に従って前記初期化されるべき前記ハードウエアを記憶する初期化テーブルを、前記第２システムに送信し、
前記第２システムは、前記起動処理において、前記初期化テーブルによって示される、前記復帰要因に対応するハードウエアを初期化する
ことを特徴とする請求項１５に記載の情報処理装置。
【請求項１７】
前記初期化テーブルには、
前記情報処理装置の起動種別がコールドブートである場合には前記１または複数のハードウエアのいずれも初期化しないことを示す情報が含まれる
ことを特徴とする請求項１６に記載の情報処理装置。
【請求項１８】
第１システム及び前記第１システムと通信可能な第２システムを備え、前記第２システムのブートプログラムを前記第１システムが前記第２システムに送信する情報処理装置の制御方法であって、
前記第１システムが、前記情報処理装置を省電力状態から復帰させる復帰要因を取得する取得ステップと、
前記第１システムが、取得された前記復帰要因を示す情報とともに前記ブートプログラムを前記第２システムに送信する送信ステップと、
前記第２システムが、前記復帰要因を示す前記情報とともに前記ブートプログラムを受信する受信ステップと、
前記第２システムが、受信された前記ブートプログラム及び前記復帰要因を示す前記情報に従って起動処理を実行する、
ことを特徴とする制御方法。
【手続補正２】
【補正対象書類名】明細書
【補正対象項目名】０００８
【補正方法】変更
【補正の内容】
【０００８】
本発明による情報処理装置は、第１システム及び前記第１システムと通信可能な第２システムを備え、前記第１システムは第１記憶手段を有し、前記第２システムは第２記憶手段を有し、前記第２システムのブートプログラムを前記第１システムが前記第２システムに送信する情報処理装置であって、前記第１システムは、前記情報処理装置を省電力状態から復帰させる復帰要因を受信し、第１の復帰要因を示す情報を含む第１ブートプログラム、及び、第２の復帰要因を示す情報を含む第２ブートプログラム、を前記第２システムに送信し、前記第２システムは、前記第１ブートプログラム及び前記第２ブートプログラムを受信し、受信した前記第１ブートプログラムに従って第１起動処理を実行し、受信した前記第２ブートプログラムに従って第２起動処理を実行することを特徴とする。